(57)【要約】【課題】車輌フレーム側の油圧ポンプと旋回台側のスイベルジョイントとを接続している油圧ホースをサブフレームの中空部内を通して配設する場合に、該油圧ホースが１本物の長尺であると該油圧ホースの配設作業が大掛かりで且つ危険を伴うものとなる。【解決手段】車輌フレーム２側の油圧ポンプ６と旋回台４側のスイベルジョイント７とを接続させる油圧ホース８をサブフレーム３内の中空部３０を通して配置し、該油圧ホース８を油圧ポンプ６とスイベルジョイント７間の水平距離の中点位置よりスイベルジョイント側で且つ旋回ベアリング４１の外形より外側位置において分割して、その各分割油圧ホース８１，８２をサブフレーム中空部３０内で接続し、さらにサブフレーム３における各分割油圧ホースの接続部９が対応する位置にホース接続作業用の作業穴３８を設けていることにより、油圧ホース８の配設作業が容易に且つ安全に行えるようにした。【選択図】  図２
2010222073.tif 000002
【特許請求の範囲】
【請求項１】
車輌フレーム（２）上に内部を中空としたサブフレーム（３）を設置し、該サブフレーム（３）上に旋回ベアリング（４１）を介して旋回台（４）を設置した旋回台付き作業車において、前記車輌フレーム（２）の下部に設けた油圧ポンプ（６）と前記旋回台（４）側に設けたスイベルジョイント（７）とを油圧ホース（８）で接続した油圧ホース接続構造であって、
前記油圧ポンプ（６）と前記スイベルジョイント（７）とを接続する前記油圧ホース（８）を前記サブフレーム（３）内の中空部（３０）を通して配置している一方、
前記油圧ホース（８）を前記油圧ポンプ（６）と前記スイベルジョイント（７）間の水平距離（Ｌ）の中点位置（Ｒ）よりスイベルジョイント（７）側で且つ前記旋回ベアリング（４１）の外形（４１ａ）より外側位置において分割して、該各分割油圧ホース（８１，８２）を前記サブフレーム（３）内の中空部（３０）で接続しているとともに、
前記サブフレーム（３）における前記各分割油圧ホース（８１，８２）の接続部（９）が対応する位置にホース接続作業用の作業穴（３８）を設けている、
ことを特徴とする旋回台付き作業車の油圧ホース接続構造。
【請求項２】
請求項１において、前記作業穴（３８）を前記サブフレーム（３）の一方の側板部（３４）に設けていることを特徴とする旋回台付き作業車の油圧ホース接続構造。
【請求項３】
請求項１又は２において、前記サブフレーム（３）内における旋回ベアリング（４１）の外周端（４１ａ）と前記作業穴（３８）との間に補強用のクロスメンバー（３５）を設けていることを特徴とする旋回台付き作業車の油圧ホース接続構造。
【発明の詳細な説明】
【技術分野】
【０００１】
本願発明は、車輌フレーム上に設置したサブフレーム上に旋回台を設置した旋回台付き作業車における、車輌フレーム側の油圧ポンプと旋回台側のスイベルジョイントとを接続する油圧ホースの接続構造に関するものである。
【背景技術】
【０００２】
旋回台付き作業車の代表例として、図６に示すような移動式クレーンがあるが、この移動式クレーンは、車輌１のフレーム（車輌フレームという）２上にサブフレーム３を設置し、該サブフレーム３上に旋回ベアリング４１を介して旋回台４を設置している。又、旋回台４には、伸縮ブーム５が起伏自在に取付けられている。尚、図６に示す移動式クレーンは、本件出願人が近年採用しているものである。
【０００３】
旋回台４側には、旋回台旋回用の油圧モータ、ブーム起伏用の油圧シリンダ１５、ブーム伸縮用の油圧シリンダ、ウインチ１６の油圧モータ等の各種油圧アクチュエータが用いられており、それらの各種油圧アクチュエータに対して車輌フレーム２側に設けた油圧ポンプ６から旋回台４に設けたスイベルジョイント７を介して作動油を供給し得るようになっている。
【０００４】
上記油圧ポンプ６は、車輌のエンジン（ＰＴＯ）に連続して設置される関係で、車輌フレーム２の下部で車輌１の前方寄り位置に設置されている。他方、旋回台４はサブフレーム３上の車輌後方寄り位置に設置されている。従って、車輌フレーム２側の油圧ポンプ６から旋回台４側のスイベルジョイント７までの水平距離Ｌは、かなりの長さを有している（Ｌ＝例えば3500〜4000mm）。
【０００５】
油圧ポンプ６とスイベルジョイント７とは油圧ホース８で接続されている。該油圧ホース８は、一般的にサブフレーム３の外側面又は下面に沿わせて配置されている場合が多いが、油圧ホース８をサブフレーム３の外側面又は下面に沿わせて配置していると、該油圧ホース８に対して他の部材が干渉する長さが長くなって、該油圧ホース８が損傷するおそれが多くなる。
【０００６】
そこで、図６に示す本件出願人が採用している移動式クレーンでは、図７に示すように油圧ホース８をサブフレーム３内の中空部３０を通して設置している。この場合、サブフレーム３内の中空部３０に挿通されている油圧ホース部分は、他の部材に干渉することがないので、損傷しにくくなる。尚、油圧ホース８をサブフレーム３内の中空部３０を通して配置したものとして、例えば特許第２５４９４９０号公報（特許文献１）に示されるものがある。
【０００７】
図６〜図７に示す移動式クレーンの油圧ホース接続構造では、油圧ホース８として、油圧ポンプ６とスイベルジョイント７間の全長に亘る長さを有した１本物のホースを使用している。従って、上記油圧ポンプ６からスイベルジョイント７までの水平距離Ｌが3500〜4000mmであると、該油圧ホース８の全長は概ね4000〜4500mmとなってかなり長尺となる。尚、この油圧ホース８は、図示例（図６〜図７）のものでは油圧ポンプ６の接続口の数（４つ）と同数の４本を有しているが、この説明では４本のホースをまとめて油圧ホース８と表現している。
【０００８】
そして、図６〜図７に示す移動式クレーンでは、上記油圧ホース８は、サブフレーム３内の中空部３０を通し、一方のホース端部８ａ（４つある）をサブフレーム３の下板部に設けた挿通穴３７を通して車輌フレーム２下方の油圧ポンプ６に接続している一方、他方のホース端部８ｂ（４つある）をサブフレーム３の上板部に設けた開口３６を通して旋回台４側のスイベルジョイント７に接続している。
【０００９】
尚、サブフレーム３内の中空部３０には、図７に示すように複数箇所（図示例では３箇所）に補強用のクロスメンバー（門型形状）３５が設けられている。
【００１０】
ところで、図６〜図７の移動式クレーンでは、上記油圧ホース８の配設作業は図８に示すようにして行われる。
【００１１】
まず油圧ホース８は、旋回台４をサブフレーム３上に組付ける前に、図８に示すようにサブフレーム３内の中空部３０（図７）に通しておく。そのとき、油圧ホース８の一方の端部８ａはサブフレーム下板部の挿通穴３７を通して下方に延出させている一方、該油圧ホース８の他方の端部８ｂは旋回台設置位置のサブフレーム上板部に設けた開口３６から露出させている。
【００１２】
次に、旋回台４を天井クレーンで吊持して、該旋回台４をサブフレーム３上の取付位置上方に配置する。このとき、旋回台４は、サブフレーム３上において所定高さの支え材１０，１０で支持して、旋回台４の下面とサブフレーム３の上面との間に所定高さの作業スペースを確保しておく。
【００１３】
次に、油圧ホース８におけるスイベルジョイント接続側のホース端部８ｂ（４つある）を該スイベルジョイント７の高さ位置まで持ち上げて、該各ホース端部８ｂをそれぞれスイベルジョイント７の各接続口７ａに接続する。この場合、油圧ホース８のホース端部８ｂをスイベルジョイント７の高さ位置まで持ち上げる必要があるが、そのときは油圧ホース８のかなりの長さ部分を人力で引っ張り上げる必要がある。
【００１４】
次に、該ホース端部８ｂをスイベルジョイント７の外筒の各接続口７ａに接続した後、支え材１０，１０を外して旋回台４をサブフレーム３上に降ろし、該旋回台４を旋回ベアリング４１上に組付ける。
【００１５】
その後、油圧ホース８の他端側の各ホース端部８ａを油圧ポンプ６の近傍まで引っ張って、該各ホース端部８ａ（４つ）をそれぞれ油圧ポンプ６の各接続口６ａに接続すれば、この油圧ホース８の配設作業が完了する。
【００１６】
尚、スイベルジョイント７の内筒は予め旋回台４側に固定されており、旋回台４を旋回ベアリング４１上に組付けた後、スイベルジョイント７の外筒をサブフレーム３側に固定する。又、スイベルジョイント７の内筒には、旋回台４側の各油圧アクチュエータへの各油圧ホースが接続されており、旋回台４に伸縮ブーム５と起伏シリンダ１５とウインチ１６を取付けた後、それらの油圧アクチュエータにスイベルジョイント内筒側の油圧ホースを接続させる。
【先行技術文献】
【特許文献】
【００１７】
【特許文献１】特許第２５４９４９０号公報
【発明の概要】
【発明が解決しようとする課題】
【００１８】
ところで、図６〜図７に示す移動式クレーンの油圧ホース接続構造では、油圧ホース８が１本物の長尺（例えば4000〜4500mm程度）であるので、旋回台４側のスイベルジョイント７に対して油圧ホース８の端部８ｂを接続するのに、図８に示すように旋回台４をサブフレーム３上から浮かした状態（作業スペースを確保した状態）で行う必要がある。即ち、予め油圧ホース８の各端部８ｂをスイベルジョイント７に接続した状態で、旋回台４をサブフレーム３上に組付けようとすると、そのホース先端側（符号８ａ側）をサブフレーム３内の中空部３０（図７）に通し、さらにサブフレーム下板部の挿通穴３７（図７）から下方に導出させる作業が必要であるが、油圧ホース８が長尺であるので、該油圧ホース８の先端側（符号８ａ側）をサブフレーム中空部３０を通して挿通穴３７から導出させる作業が極めて困難である。従って、長尺（例えば4000〜4500mm程度）で１本物の油圧ホース８を使用する場合には、上記した図８の方法で油圧ホース８の配設作業を行う必要があった。
【００１９】
このように、長尺で１本物の油圧ホース８を油圧ポンプ６とスイベルジョイント７間に接続させようとすると、図８に示すように、該油圧ホース８を予めサブフレーム３の中空部３０に通しておき、旋回台４をサブフレーム３上から浮かして作業スペースを確保し（旋回台４は天井リレーンで吊持し且つ旋回台４を支え材１０で支持しておく）、その作業スペースに作業員が入って各ホース端部８ｂの接続作業を行う必要があるので、その油圧ホース接続作業に危険（例えば旋回台４の支持が外れて旋回台４とサブフレーム３間に人体が挟まれる危険）を伴うという問題があった。
【００２０】
又、油圧ホース８が長尺の１本物であると、該油圧ホース８をサブフレーム３の中空部３０に引き通す作業が大変であるとともに、その引き通し時に油圧ホース８に擦り傷ができ易くなり、さらに該油圧ホース８にねじれが生じ易くなるという問題もある。
【００２１】
他方、上記油圧ホース８の配設状態では、大半のホース長さ部分がサブフレーム３の中空部３０内に挿通されているが、サブフレーム下板部の挿通穴３７から油圧ポンプ６までのホース長さ範囲は外部に露出していて、該露出部分のホースに他の部材が干渉して該油圧ホース８が損傷するおそれがあり、該ホースが損傷した場合には新しいものと交換する必要がある。
【００２２】
ところが、上記のように長尺で１本物の油圧ホース８では、ホース交換の際にホース全体長さを取り替える必要があるので、ホース脱着作業が面倒で且つ上記のように危険を伴う作業となる。即ち、損傷ホースを上記配設作業と逆順序で取外した後、新しいホースを上記配設作業を行って接続させるが、それらの作業時に旋回台４を浮かした状態で行う必要がある。
【００２３】
又、油圧ホース８の損傷部分は、上記露出部分の限定的範囲の場合がほとんどであるが、１本物の油圧ホース８ではホース全体長さを取り替える必要があるので、交換すべき油圧ホース８の費用が高くつくという問題もあった。
【００２４】
そこで、本願発明は、油圧ポンプとスイベルジョイントとを接続する油圧ホースの配設作業（及びホース損傷時の交換作業）が比較的簡単で且つ安全に行えるようにした、旋回台付き作業車の油圧ホース接続構造を提供することを目的としている。
【課題を解決するための手段】
【００２５】
本願発明は、上記課題を解決するための手段として次の構成を有している。
【００２６】
［本願請求項１の発明］
本願請求項１の発明は、車輌フレーム上に内部を中空としたサブフレームを設置し、該サブフレーム上に旋回ベアリングを介して旋回台を設置した旋回台付き作業車において、車輌フレームの下部に設けた油圧ポンプと旋回台側に設けたスイベルジョイントとを油圧ホースで接続した油圧ホース接続構造を対象にしている。
【００２７】
サブフレームは、断面四角形で、その内部が中空となっている。
【００２８】
油圧ポンプは、車輌のエンジン（ＰＴＯ）に連続して設置される関係で、車輌フレーム下方における車輌の前部寄り位置に設置されている。
【００２９】
他方、旋回台は、サブフレーム上の車輌後方寄り位置に設置されている。従って、車輌フレーム２側の油圧ポンプ６から旋回台４側のスイベルジョイント７までの水平距離Ｌは、かなりの長さを有している（Ｌ＝例えば3500〜4000mm）。
【００３０】
旋回台には、その旋回中心位置に作動油中継用のスイベルジョイントが取付けられている。
【００３１】
そして、この請求項１の油圧ホース接続構造は、油圧ポンプとスイベルジョイントとを接続する油圧ホースをサブフレーム内の中空部を通して配置している一方、油圧ホースを油圧ポンプとスイベルジョイント間の水平距離の中点位置よりスイベルジョイント側で且つ旋回ベアリングの外形より外側位置において分割して、該各分割油圧ホースをサブフレームの中空部内で接続しているとともに、サブフレームにおける各分割油圧ホースの接続部が対応する位置にホース接続作業用の作業穴を設けていることを特徴としている。
【００３２】
この旋回台付き作業車における油圧ポンプとスイベルジョイント間の水平距離は、車輌の機種（大きさ）によって異なるが概ね3500〜4000mm程度であり、その場合、該油圧ポンプとスイベルジョイント間に接続される油圧ホースの全長は概ね4000〜4500mm程度となる。又、油圧ホースを分割した状態では、油圧ポンプ接続側の分割油圧ホースよりスイベルジョイント接続側の分割油圧ホースの方が短くなっている。因に、油圧ポンプ接続側の分割油圧ホースの長さが例えば2400〜2600mm程度であるのに対して、スイベルジョイント接続側の分割油圧ホースとして例えば1600〜1900mm程度の長さのものを使用できる（これらの長さは特に限定するものではない）。
【００３３】
尚、本願では、油圧ポンプ接続側の分割油圧ホースをさらに分割（例えば２分割）して、その分割した各油圧ホース同士を接続させたものを油圧ポンプ接続側分割油圧ホースとしてもよい。
【００３４】
各分割油圧ホース同士の接続部は、例えばサブフレームの中空部に両分割油圧ホースの各端部を連続状態で接続し得るようにした連通口付きの取付板を設けておき、該取付板の前後から連通口に対して両分割油圧ホースの各端部を着脱自在に接続させる得るようにしたものが好適である。
【００３５】
ホース接続作業用の作業穴は、両分割油圧ホースの接続部に対応する位置にあって、該作業穴から手を差し込んでホース接続作業が行える大きさ（特に限定するものではないが例えば穴の直径が250mm程度）であればよい。
【００３６】
この請求項１の油圧ホース接続構造では、油圧ポンプとスイベルジョイント間の油圧ホースを次のようにして接続させることができる。
【００３７】
まず、油圧ホースを分割して、その油圧ポンプ接続側の分割油圧ホースをサブフレームの中空部に挿通させた状態で、そのホース一端部を上記作業穴に対応する位置に配置しておく。このとき、油圧ポンプ接続側の分割油圧ホースの他端は、車輌フレーム下方の油圧ポンプに接続させてもよく、あるいは該ホース他端を後で油圧ポンプに接続させるようにしてもよい。
【００３８】
他方、スイベルジョイント接続側の分割油圧ホースの一端部は、旋回台をサブフレーム上に設置する前に旋回台側のスイベルジョイントに接続させておく。そして、その状態で該スイベルジョイント接続側分割油圧ホースの他端側（先端側）をサブフレームの旋回ベアリング設置位置にある開口からサブフレーム中空部に進入させながら、旋回台（天井クレーンで吊持している）をサブフレーム上の所定位置（旋回ベアリング上）に降下させて該旋回台をサブフレーム上に組付ける。このとき、スイベルジョイント接続側の分割油圧ホースの先端部を上記作業穴に対応する位置まで送り込むが、該スイベルジョイント接続側分割油圧ホースの長さが比較的短い（例えば1600〜1900mm程度）ので、そのホース先端部を作業穴対応位置まで比較的容易に送り込むことができる。尚、該スイベルジョイント接続側分割油圧ホースの先端部をサブフレーム中空部に送り込む際に、該ホース先端部に紐の一端を結んで該紐の他端側をサブフレーム中空部を通して外部に導出させておき、該紐の他端側を引っ張りながら旋回台を降下させるようにすると、該ホース先端部を作業穴対応位置まで容易に引き込むことができる。
【００３９】
そして、作業穴対応位置にある両分割油圧ホースの各端部を、作業穴から手を差し込んで接続すれば、この油圧ホースの配設作業は完了する。
【００４０】
ところで、サブフレーム上に旋回台（キャビン、伸縮ブーム等が設置されていて大重量となる）を設置すると、サブフレームに対して旋回台側からの負荷による下方への座屈作用が発生し、サブフレームにおける旋回台設置部分が強度面で負担が大きくなり、他方、サブフレームの壁面部に上記作業穴を設けると、該作業穴設置部分の強度が低下する。尚、旋回台側からの負荷は、その旋回台側の自重に加えてクレーン作業時における吊荷の荷重も加わるので、クレーン作業時にはサブフレームにおける旋回台設置部分に大きな負荷が加わることになる。
【００４１】
そこで、この請求項１の油圧ホース接続構造では、両分割油圧ホースの接続部を油圧ポンプとスイベルジョイント間の水平距離の中点位置よりスイベルジョイント側で且つ旋回ベアリングの外形より外側に位置させるとともに、上記作業穴を両分割油圧ホースの接続部に対応する位置に設けていることにより、該作業穴を旋回台設置部分から適度に離間させつつ（旋回台側からの負荷による座屈作用の影響を緩和させつつ）、上記のようにスイベルジョイント接続側の分割油圧ホースを短くすることができる。
【００４２】
又、油圧ポンプ接続側の分割油圧ホースは、その一部がサブフレームから外部に露出していて、該ホース露出部分に他の部材が干渉することにより該ホースが損傷するおそれがある。尚、スイベルジョイント接続側の分割油圧ホースは、全体が閉空間内に収容されている（他の部材が干渉しない）ので、損傷する危険は極めて少ない。
【００４３】
そして、本願請求項１の油圧ホース接続構造では、油圧ポンプ接続側の分割油圧ホースが損傷した場合には、該油圧ポンプ接続側の分割油圧ホースのみを交換すればよい。そのホース交換作業は、スイベルジョイント接続側の分割油圧ホースを取り外すことなく、次のようにして行える。
【００４４】
まず、損傷した油圧ポンプ接続側分割油圧ホースにおける他側ホースとの接続部を作業穴から手を差し込んで外す一方、油圧ポンプ接続側端部も油圧ポンプから外せば、該油圧ポンプ接続側分割油圧ホースをサブフレーム下方に抜き外すことができる。その後、新しい分割油圧ホースの一端側をサブフレーム下方からその中空部に差し込んで作業穴対応位置まで送り込み、作業穴から手を差し込んで両分割油圧ホースの端部同士を接続させるとともに、油圧ポンプ接続側分割油圧ホースの他端を油圧ポンプに接続すると、ホース交換作業は完了する。
【００４５】
このように、一連の油圧ホースにおける損傷した分割油圧ホースのみを交換できるようにすると、その交換ホース部分が安価で済む。又、両分割油圧ホースのうち、油圧ポンプ接続側の分割油圧ホースのみが他部材との干渉により損傷するおそれがある（交換の必要性がある）が、この油圧ポンプ接続側分割油圧ホースは、上記のように作業穴より油圧ポンプ側の範囲で処理できるので、その交換時に旋回台及びスイベルジョイント接続側の分割油圧ホースをそのままにした状態で作業が行える。
【００４６】
［本願請求項２の発明］
本願請求項２の発明は、上記請求項１の油圧ホース接続構造において、ホース端部接続作業用の作業穴をサブフレームの一方の側板部に設けていることを特徴としている。
【００４７】
サブフレームには、旋回台側からの負荷による下方への座屈作用を受けるが、該座屈作用に対する支持力はサブフレームの上板部の方が左右各側板部より大きくなるように設計されている。具体的には、サブフレームの上板部の方が左右各側板部より板厚さを厚くしている。又、サブフレームの下板部も左右各側板部より板厚さを厚くしており、該下板部の方が左右各側板部より強度面で大きくなっている。
【００４８】
そして、この請求項２のように、上記作業穴をサブフレームの一方の側板部に設けると、該作業穴をサブフレームの上板部に設けるよりサブフレームに受ける上記座屈作用に対して強度面で有利に働くようになる一方、該作業穴をサブフレームの下板部に設けるより強度面で有利に働く。
【００４９】
［本願請求項３の発明］
本願請求項３の発明は、上記請求項１又は２の油圧ホース接続構造において、サブフレーム内における、旋回ベアリングの外周端と作業穴との間に補強用のクロスメンバーを設けていることを特徴としている。
【００５０】
上記作業穴は、旋回ベアリングの外形より外側に位置しているが、比較的旋回台設置位置に近い部分のサブフレームに設けている。従って、該作業穴は、サブフレームにおける旋回台側からの負荷による座屈作用を受け易い部分にある。
【００５１】
そこで、本願請求項３では、サブフレームに作業穴を設けたものであっても、旋回ベアリングの外周端と作業穴との間に補強用のクロスメンバーを設けていることにより、該クロスメンバーで座屈作用を受け易いサブフレーム部分を補強できる。
【発明の効果】
【００５２】
［本願請求項１の発明の効果］
本願請求項１の発明の油圧ホース接続構造は、油圧ポンプとスイベルジョイントとを接続する油圧ホースをサブフレーム内の中空部を通して配置している一方、油圧ホースを油圧ポンプとスイベルジョイント間の水平距離の中点位置よりスイベルジョイント側で且つ旋回ベアリングの外形より外側位置において分割して、該各分割油圧ホースをサブフレームの中空部内で接続しているとともに、サブフレームにおける各分割油圧ホースの接続部が対応する位置にホース接続作業用の作業穴を設けて構成されているので、次のような効果がある。
【００５３】
(1) 油圧ホースを分割しているので、該油圧ホースをサブフレームの中空部を通して配置する際に、分割油圧ホースの状態（短い状態）でそれぞれサブフレーム中空部に挿通させた後に、作業穴から両ホース端部を接続させることができるので、連続する１本物の油圧ホースをサブフレーム中空部に挿通させた状態で油圧ポンプとスイベルジョイント間に配設する場合に比して、油圧ホースの配設作業が容易となるとともに、その配設作業を安全に行える。
【００５４】
因に、上記した従来例のように１本物の油圧ホースを配設する場合には、該油圧ホースが長尺であるために、一方のホース端部を予めスイベルジョイントに接続させた状態でホース他端側をサブフレーム中空部を通して油圧ポンプ側に導出させるのが非常に難しいという理由から、上記のように１本物の油圧ホースを先にサブフレーム中空部に挿通させた状態から一方のホース端部をスイベルジョイントに接続させるようにしているが、その場合は旋回台を浮かせて旋回台とサブフレーム間に人が入れる作業スペースを確保し、その作業スペースに作業員が入って接続作業を行う必要がある。従って、その接続作業に危険を伴うが、本願の油圧ホース接続構造では、ホース配設作業に上記のような危険な作業は不要となる。
【００５５】
(2) 各分割油圧ホースは長短の差があり、その短い側の分割油圧ホースの一端をスイベルジョイントに接続した状態でそのホース他端側をサブフレーム中空部内における作業穴対応位置まで差し込めばよいので、油圧ホースを分割したものであっても、サブフレーム中空部内へのホース配設作業が一層容易となる。
【００５６】
(3) サブフレームにおける旋回台設置部分は、旋回台側からの負荷による下方への座屈作用が発生して強度面で負担が大きくなり、他方、サブフレームの壁面部に上記作業穴を設けると、該作業穴設置部分の強度が低下するが、該作業穴を両分割油圧ホースの接続部である油圧ポンプとスイベルジョイント間の水平距離の中点位置よりスイベルジョイント側で且つ旋回ベアリングの外形より外側位置に設けていることにより、該作業穴を旋回台設置部分から適度に離間させつつ（旋回台側からの負荷による座屈作用の影響を緩和させつつ）、上記のようにスイベルジョイント接続側の分割油圧ホースを短くすることができる。
【００５７】
(4) 両分割油圧ホースのうち、外部に露出している油圧ポンプ接続側分割油圧ホースが他の部材に干渉して損傷するおそれがあるが、その損傷した油圧ポンプ接続側分割油圧ホースを交換する場合に、スイベルジョイント接続側分割油圧ホースをそのままにした状態で交換作業が行えるので、そのホース交換作業が容易である。又、そのホース交換の際に、損傷した側の分割油圧ホースのみを取り替えればよいので、交換ホース部分が安価となる。
【００５８】
(5) 油圧ポンプとスイベルジョイント間の距離（油圧ホース長さ）は車輌の機種によって異なるが、油圧ホースを分割していると、スイベルジョイント接続側分割油圧ホースを各機種に共用できるので、油圧ポンプ接続側分割油圧ホースのみを機種に応じた各種長さのものを準備すればよい。
【００５９】
［本願請求項２の発明の効果］
本願請求項２の発明では、上記請求項１の油圧ホース接続構造において、ホース端部接続作業用の作業穴をサブフレームの一方の側板部に設けている。
【００６０】
このように作業穴をサブフレームの一方の側板部に設けると、上記請求項１の効果に加えて、サブフレームの上板部に設ける場合より旋回台側からの負荷によるサブフレームに受ける座屈作用に対して強度面で有利に働くとともに、サブフレームの下板部に設ける場合より強度面で有利に働くという効果がある。
【００６１】
［本願請求項３の発明の効果］
本願請求項３の発明では、上記請求項１又は２の油圧ホース接続構造において、サブフレーム内における旋回ベアリングの外周端と作業穴との間に補強用のクロスメンバーを設けている。
【００６２】
この請求項３のものでは、上記請求項１又は２の効果に加えて、サブフレームに作業穴を設けたものであっても、旋回ベアリングの外周端と作業穴との間に設けたクロスメンバーにより、サブフレームにおける旋回台側からの負荷によって座屈作用を受け易い部分を補強できるという効果がある。
【図面の簡単な説明】
【００６３】
【図１】本願実施例の油圧ホース接続構造を備えた旋回台付き作業車（移動式クレーン）の側面図である。
【図２】図１における油圧ホース配設部分の拡大図である。
【図３】図２の平面図である。
【図４】図２のIV−IV拡大断面図である。
【図５】図２の油圧ホース接続構造におけるホース配設方法の説明図である。
【図６】本件出願人が以前から採用している油圧ホース接続構造を備えた移動式クレーンの側面図である。
【図７】図６のVII−VII拡大矢視図である。
【図８】図６の油圧ホース接続構造におけるホース配設方法の説明図である。
【発明を実施するための形態】
【実施例】
【００６４】
図１〜図５を参照して本願実施例にかかる旋回台付き作業車の油圧ホース接続構造を説明すると、図１には旋回台付き作業車の代表例として移動式クレーンを採用したものを示している。
【００６５】
図１の移動式クレーンは、図６に示す従来例の移動式クレーンと同じものであって、車輌１のフレーム（車輌フレーム）２上にサブフレーム３が設置され、該サブフレーム３上に旋回ベアリング４１を介して旋回台４が設置されている。
【００６６】
旋回台４には、伸縮ブーム５と、ブーム起伏用の油圧シリンダ１５と、吊荷ロープの巻上げ用のウインチ１６と、クレーン操作室となるキャビンとが設置されている。従って、旋回台４側の総重量はかなりの大重量となり、その旋回台４側の総重量がサブフレーム３上に加わることになる。
【００６７】
サブフレーム３は、図２〜図４に示すように、上板部３１と下板部３２と左右の側板部３３，３４とを有した断面四角形で前後に長い箱体に構成されている。従って、サブフレーム３の内部は中空部３０となっている。尚、他の実施例では、サブフレーム３として、下板部３２の幅中央付近に上向き凹状の凹入部を設けたものでもよいし、さらには四角形以外の適宜の閉断面構造のものでもよい。
【００６８】
尚、この実施例の説明では、サブフレーム３について、車輌１の前後に向く方向を前後といい、車輌前方側から見て左右に向く方向を左右という。
【００６９】
サブフレーム３内の中空部３０には、複数箇所（図示例では３箇所）に補強用のクロスメンバー３５が設けられている。この各クロスメンバー３５は、図４に示すように門型形状のものであって、サブフレーム３の上板部３１と左右の各側板部３３，３４のそれぞれ内面に沿って配置されている。
【００７０】
サブフレーム３の前後各端部には、それぞれ左右一対のアウトリガ１１，１１が取付けられている。
【００７１】
旋回台４は、サブフレーム３上における前後長さの中間位置より後方寄り位置において旋回ベアリング４１を介して設置されている。
【００７２】
旋回台４側には、旋回台旋回用の油圧モータ、ブーム起伏用の油圧シリンダ１５、ブーム伸縮用の油圧シリンダ、ウインチ１６の油圧モータ等の各種油圧アクチュエータが用いられており、それらの各種油圧アクチュエータに対して車輌フレーム２側に設けた油圧ポンプ６から旋回台４に設けたスイベルジョイント７を介して作動油を供給し得るようになっている。
【００７３】
スイベルジョイント７は、旋回台４の下面部における旋回中心に設置されている。このスイベルジョイント７は、図２に示すように外筒７１と内筒７２とを回転自在に結合させたもので、この実施例では、外筒７１がサブフレーム３側に固定されている一方、内筒７２が旋回台４側に固定されている。尚、外筒７１の下半部は、旋回台４の下面より下方に突出しており、このスイベルジョイント７を旋回台４に取付けた状態で、外筒７１の外面にあるポート（接続口）に対して後述の油圧ホース（分割油圧ホース）８２の一端部８２ａを接続し得るようになっている。
【００７４】
上記油圧ポンプ６は、車輌のエンジン（ＰＴＯ）に連続して設置される関係で、車輌フレーム２の下部で車輌１の前方寄り位置に設置されている。従って、図２及び図３に示すように、油圧ポンプ６の位置Ｐから旋回台４側のスイベルジョイント７の位置Ｑまでの水平距離Ｌはかなりの長さ（Ｌ＝3500〜4000mm）を有している。
【００７５】
油圧ポンプ６とスイベルジョイント７とは油圧ホース８で接続されているが、この油圧ホース８の全長は、油圧ポンプ６とスイベルジョイント７間の水平距離Ｌが3500〜4000mmである場合には概ね4000〜4500mm程度と長尺になる。
【００７６】
この実施例の油圧ホース接続構造は次の構成を有している。尚、油圧ホース８は、油圧ポンプ６の接続口の数（４つ）と同数の４本を有しているが、該４本をまとめて油圧ホース８と表現する。
【００７７】
この油圧ホース８は、サブフレーム３の中空部３０を通して配設されている。又、この油圧ホース８は、図２及び図３に示すように、油圧ポンプ６（符号Ｐの位置）とスイベルジョイント７（符号Ｑの位置）間の水平距離Ｌの中点位置Ｒよりスイベルジョイント７側で且つ旋回ベアリング４１の外形４１ａより外側位置において２分割（符号８１，８２）しており、その各分割油圧ホース８１，８２の端部８１ｂ，８２ｂ同士をサブフレーム３の中空部３０内で着脱自在に接続させている。尚、両分割油圧ホース８１，８２もそれぞれ４本のホースを総称したものである。
【００７８】
この場合、両分割油圧ホース８１，８２の接続部９の位置Ｓ（図２、図３）は、スイベルジョイント７の位置Ｑから水平距離で１／２Ｌより短い長さＴの位置になる。因に、図示例（図２、図３）では、上記位置Ｑから上記位置Ｓまでの長さＴは、上記位置Ｑから上記位置Ｐまでの長さＬの約４０％になるように設定している。従って、油圧ポンプ接続側の分割油圧ホース８１よりスイベルジョイント接続側の分割油圧ホース８２の方が短くなっている。具体的には、この実施例では、油圧ポンプ接続側の分割油圧ホース８１の長さが2400〜2600mm程度であるのに対して、スイベルジョイント接続側の分割油圧ホース８２の長さを1600〜1900mm程度に設定している。尚、各側の分割油圧ホース８１，８２はそれぞれ４本を総称したものであり、同側の分割油圧ホースであっても各個別ホースの長さは接続位置との関係でそれぞれ若干異なっている。又、各側の分割油圧ホース８１，８２は、部分的にそれぞれカバーで束ねている。
【００７９】
両分割油圧ホース８１，８２の接続部９には、図２〜図４に示すようにサブフレーム中空部３０内において両分割油圧ホース８１，８２の各端部８１ｂ，８２ｂを接続させ得る縦長の取付板９１が立設されている。この取付板９１は、図３及び図４に示すようにサブフレーム３の一方の側板部（図示例では右側の側板部）３４に近づけた位置に設置されている。そして、この取付板９１には、図４に示すように上下に４つの連通口（接続口）９２，９２・・を設けていて、その各連通口９２，９２・・に前後各側からそれぞれホース端部（図２、図３の符号８１ｂ，８２ｂ）を着脱自在に接続させ得るようになっている。
【００８０】
尚、この実施例では、一連の油圧ホース８は、油圧ポンプ接続側分割油圧ホース８１とスイベルジョイント接続側分割油圧ホース８２とに２分割したものを使用しているが、そのうちの油圧ポンプ接続側分割油圧ホース８１は、さらに分割（２分割）したものを接続させた状態で使用することができる。
【００８１】
サブフレーム３における各分割油圧ホース８１，８２の接続部９が対応する位置には、ホース接続作業用の作業穴３８を設けている。この実施例では、該作業穴３８は、接続部９の取付板９１が近い側の側板部（右側の側板部）３４に設けられている。この作業穴３８の大きさは、該作業穴から手を差し込んで取付板９１の各連通口９２に対してホース端部８１ｂ，８２ｂの接続作業が行える程度のもので、例えば直径が250mm程度あればよい。尚、この作業穴３８は、図示例では円形のものを採用しているが、楕円形、四角形、その他の多角形でもよい。
【００８２】
サブフレーム３に作業穴３８を設けると、該サブフレーム３の強度が低下するので、この実施例では作業穴３８の口縁部を取り巻くようにして、サブフレーム側板部３４の内外各面にそれぞれ補強材３９，３９（図４）を取付けている。尚、この作業穴３８は、開閉自在な蓋（図示していない）で被覆しておくことができ、その場合は該作業穴３８からサブフレーム３の中空部３０内にゴミが侵入するのを防止できる。
【００８３】
又、作業穴３８と旋回ベアリング４１の外端４１ａ間のサブフレーム中空部３０内には、複数（３つ）のクロスメンバー３５，３５，３５のうちの１つが配置されている。換言すれば、旋回ベアリング４１の外端４１ａから１つ目のクロスメンバー３５より外側に作業穴３８を設けている。
【００８４】
この実施例の油圧ホース接続構造では、油圧ポンプ６とスイベルジョイント７間の油圧ホース８を次のようにして接続させることができる。
【００８５】
まず、図５に示すように、油圧ホース８を２分割した状態で、その油圧ポンプ接続側分割油圧ホース８１の一端部８１ｂ側をサブフレーム下板部３２の挿通穴３７からサブフレーム中空部３０内を通して接続部９となる取付板９１の近傍位置まで進入させる。このとき、該挿通穴３７と取付板９１までの距離は比較的短い（例えば1200〜1400mm程度）ので、該ホース端部８１ｂの進入作業は比較的容易に行える。又、このとき油圧ポンプ接続側分割油圧ホース８１の進入側端部８１ｂ（４つ）は、作業穴３８から手を差し込んで取付板９１の前面側から各連通口９２（図４）に接続させておくと、該油圧ポンプ接続側分割油圧ホース８１がサブフレーム中空部３０から不用意に抜け出さない。尚、図５の状態で、油圧ポンプ接続側分割油圧ホース８１の他端８１ａ（４つ）も油圧ポンプ６の各接続口６ａに接続させてもよいが、該ホース他端８１ａは後で油圧ポンプ６に接続させてもよい。
【００８６】
他方、スイベルジョイント接続側分割油圧ホース８２の一端部８２ａを旋回台４側のスイベルジョイント７（外筒７１）に接続させておき、旋回台４を天井クレーンで吊持して、スイベルジョイント接続側分割油圧ホース８２の先端８２ｂ側をサブフレーム３の旋回ベアリング設置位置にある開口３６からサブフレーム中空部３０に進入させながら、旋回台４をサブフレーム３上の所定位置（旋回ベアリング４１上）に降下させて該旋回台４をサブフレーム３上に組付ける。このとき、スイベルジョイント接続側分割油圧ホース８２の先端部８２ｂを接続部９となる取付板９１の近傍位置まで送り込むが、上記開口３６から取付板９１までの距離は比較的短い（開口３６の前側端縁から取付板９１までの距離が例えば1200〜1400mm程度）ので、該ホース端部８２ｂの送り込み作業は比較的容易に行える。尚、該スイベルジョイント接続側分割油圧ホース８２の先端部８２ｂをサブフレーム中空部３０に送り込む際に、該ホース先端部８２ｂに紐の一端を結んで該紐の他端側をサブフレーム中空部３０を通して例えば作業穴３８から外部に導出させておき、該紐の他端側を引っ張りながら旋回台４を降下させるようにすると、該ホース先端部８２ｂを取付板９１の近傍位置まで容易に引き込むことができる。
【００８７】
そして、図５の状態で、作業穴３８から手を差し込んで、スイベルジョイント接続側分割油圧ホース８２の先端部８２ｂ（４つ）を取付板９１の後面側から各連通口９２（図４）に接続させると、両分割油圧ホース８１，８２を連続させることができる。
【００８８】
ところで、サブフレーム３上に旋回台４を設置すると、サブフレーム３に対して旋回台４側からの負荷（旋回台４側の自重及びクレーン作業時の吊荷荷重）による下方への座屈作用が発生し、サブフレーム３における旋回台設置部分が強度面で負担が大きくなる。他方、サブフレーム３の側板部３４に上記作業穴３８を設けると、該作業穴設置部分の強度が低下する。
【００８９】
そこで、この実施例の油圧ホース接続構造では、図２及び図３に示すように、両分割油圧ホース８１，８２の接続部９の位置Ｓを油圧ポンプ６とスイベルジョイント７間の水平距離Ｌの中点位置Ｒよりスイベルジョイント７側で且つ旋回ベアリング４１の外形４１ａより外側に位置させるとともに、上記作業穴３８を両分割油圧ホース８１，８２の接続部９に対応する位置に設けていることにより、該作業穴３８を旋回台設置部分から適度に離間させつつ（旋回台側からの負荷による座屈作用の影響を緩和させつつ）、上記のようにスイベルジョイント接続側の分割油圧ホース８２を短くすることができる。
【００９０】
又、この実施例では、上記作業穴３８をサブフレーム３の一方の側板部３４に設けているが、このように作業穴３８をサブフレーム側板部３４に設ける方が、該作業穴３８をサブフレーム３の上板部３１に設ける場合より旋回台側からの負荷によるサブフレーム３の座屈作用に対して強度面で有利に働くとともに、該作業穴３８をサブフレーム３の下板部３２に設ける場合より強度面で有利に働く。
【００９１】
さらに、この実施例では、作業穴３８と旋回ベアリング４１の外端４１ａ間のサブフレーム中空部３０内に１つのクロスメンバー３５が配置されており、サブフレーム３における旋回台側からの負荷によって座屈作用を受け易い部分を該クロスメンバー３５で補強している。
【符号の説明】
【００９２】
１は車輌、２は車輌フレーム、３はサブフレーム、４は旋回台、５は伸縮ブーム、６は油圧ポンプ、７はスイベルジョイント、８は油圧ホース、９は接続部、３０はサブフレームの中空部、３１はサブフレームの上板部、３２はサブフレームの下板部、３３，３４はサブフレームの側板部、３５はクロスメンバー、３６は開口、３７は挿通穴、３８は作業穴、４１は旋回ベアリング、４１ａは旋回ベアリングの外端、８１は油圧ポンプ接続側分割油圧ホース、８１ａ，８１ｂはホース端部、８２はスイベルジョイント接続側分割油圧ホース、８２ａ，８２ｂはホース端部、９１は接続部の取付板である。
【図１】
2010222073.tif 000003
【図２】
2010222073.tif 000004
【図３】
2010222073.tif 000005
【図４】
2010222073.tif 000006
【図５】
2010222073.tif 000007
【図６】
2010222073.tif 000008
【図７】
2010222073.tif 000009
【図８】
2010222073.tif 000010